(57)【要約】【課題】  簡単で手軽に写真シールを複製できる装置を提供する。【解決手段】  シール払出部で硬貨が投入されると写真撮影や落書きなどが行われ、写真シールが印刷されてシール取出口に排出される（Ｓ１〜Ｓ８）。そして、終了せずに引き続いて複製用硬貨投入口に硬貨が投入されると（Ｓ９、Ｓ１０）、ステップＳ８の印刷に用いた印刷データに対して追加落書きを行うか否かをユーザに選択させ（Ｓ１１）、追加落書きを行うと選択されるとユーザにより追加落書きが行われる（Ｓ１２）。続いて、分割パターンの選択を行うか否かをユーザに選択させ（Ｓ１３）、分割パターンの選択を行う場合には、ユーザにより分割パターンの選択が行われる（Ｓ１４）。次いで、プリンタにより写真が複製用シール台紙に印刷されて第１排出口に排出される（Ｓ１５）。【選択図】  図５
2005173010.tif 000002
【特許請求の範囲】
【請求項１】
写真シール払出用硬貨投入口への所定の遊技代金の硬貨投入により起動して１回の遊技が開始され、被写体を撮影して得られる被写体画像に必要な編集を施した印刷データに基づく写真を印刷手段によりシール台紙に印刷してシール取出口へ排出する写真シール払出装置において、
前記印刷手段によるシール台紙の排出後に複製指示があったときに、前記印刷データに基づく写真を複製用シール台紙に印刷して排出する複製手段
を備えたことを特徴とする写真シール払出装置。
【請求項２】
写真シール払出用硬貨投入口への所定の遊技代金の硬貨投入により起動して１回の遊技が開始され、被写体を撮影して得られる被写体画像に必要な編集を施した印刷データに基づく写真を印刷手段によりシール台紙に印刷してシール取出口へ排出する写真シール払出装置において、
作成済のシール台紙に印刷された写真を読み取る読取手段と、
複製指示があったときに、前記読取手段により写真を読み取って得られる読取データに基づき前記印刷データを生成するデータ生成手段と、
前記データ生成手段により生成された前記印刷データに基づく写真を複製用シール台紙に印刷して排出する複製手段と
を備えたことを特徴とする写真シール払出装置。
【請求項３】
使用者の操作により追加編集用画像を入力する追加入力手段と、
前記追加入力手段により入力される追加編集用画像を用いて前記印刷データに編集を施す追加編集手段とをさらに備え、
前記複製手段は、前記追加編集手段により編集が施された印刷データに基づく写真を複製用シール台紙に印刷して排出することを特徴とする請求項１または２に記載の写真シール払出装置。
【請求項４】
１枚の複製用シール台紙を予め定められた複数の区画に区分した複数の分割パターンを記憶する記憶手段と、
前記記憶手段に記憶された前記複数の分割パターンのうちから所望の分割パターンを選択するための選択手段と、
前記選択手段により選択された分割パターンに基づき前記印刷データに変更を加えるデータ変更手段とをさらに備え、
前記複製手段は、前記データ変更手段により変更が加えられた印刷データに基づく写真を複製用シール台紙に印刷して排出することを特徴とする請求項１ないし３のいずれかに記載の写真シール払出装置。
【請求項５】
複製用硬貨投入口を有し、少なくとも前記複製用硬貨投入口への所定の複製代金の硬貨投入があったときに前記複製指示があったものと判定する判定手段をさらに備えたことを特徴とする請求項１ないし４のいずれかに記載の写真シール払出装置。
【請求項６】
前記印刷データを保存写真データとして蓄積する蓄積手段と、
前記蓄積手段に蓄積された複数の前記保存写真データのうち特定の保存写真データを選定するための選定手段と、
前記選定手段により選定された前記特定の保存写真データを前記蓄積手段から読み出す読出手段とをさらに備え、
前記複製手段が、前記読出手段により読み出された前記特定の保存写真データに基づく写真を前記印刷データに基づく写真として複製用シール台紙に印刷して排出することを特徴とする請求項１ないし５のいずれかに記載の写真シール払出装置。
【請求項７】
前記選定手段が、
前記印刷データについて検索用パスワードを付与し付与した前記検索用パスワードを前記印刷データとともに前記保存写真データとして前記蓄積手段に登録させるパスワード付与手段と、検索用パスワードを入力操作するための操作手段と、前記操作手段の操作により入力される検索用パスワードと前記蓄積手段に蓄積されている前記検索用パスワードとを対比して一致するものがあるかどうかを判断する判断手段とを備えたものであり、
前記読出手段が、前記判断手段により一致すると判断された前記検索用パスワードが付与された保存写真データを特定して前記蓄積手段から読み出すものである
ことを特徴とする請求項６に記載の写真シール払出装置。
【請求項８】
前記複製手段が、複製用シール台紙に前記パスワード付与手段により付与される検索用パスワードを写真と一緒に印刷するものであることを特徴とする請求項７に記載の写真シール払出装置。
【請求項９】
前記蓄積手段に蓄積される複数の前記保存写真データに関する期限管理を行い、蓄積開始から予め定められた期間を経過した保存写真データを順次消去する期限管理手段を備えていることを特徴とする請求項６ないし８のいずれかに記載の写真シール払出装置。
【請求項１０】
前記蓄積手段が、装置本体の内部或いは装置本体の近辺に設けられていることを特徴とする請求項６ないし９のいずれかに記載の写真シール払出装置。
【請求項１１】
サーバ装置と、装置本体に設けられ前記サーバ装置との間で通信回線を介して前記印刷データの送受信を行う通信手段とをさらに備え、
前記蓄積手段が、前記サーバ装置に設けられ、前記通信手段および通信回線を介して送信された前記印刷データを蓄積するもので、
前記読出手段が、前記通信手段および通信回線を介して前記蓄積手段にアクセスして前記特定の保存写真データを読み出すものであることを特徴とする請求項６ないし９のいずれかに記載の写真シール払出装置。
【請求項１２】
請求項６ないし９のいずれかに記載の写真シール払出装置において、
他の前記写真シール払出装置との間で相互に通信回線を介して前記印刷データの送受信を行う通信手段をさらに備え、
前記蓄積手段が、他の前記写真シール払出装置に設けられ、前記通信手段および通信回線を介して送信された前記印刷データを蓄積するもので、
前記読出手段が、前記通信手段および通信回線を介して前記蓄積手段にアクセスして前記特定の保存写真データを読み出すものであることを特徴とする写真シール払出装置。
【請求項１３】
写真シール払出用硬貨投入口への所定の遊技代金の硬貨投入により起動して１回の遊技が開始され、被写体を撮影して得られる被写体画像に必要な編集を施した印刷データに基づく写真を印刷手段によりシール台紙に印刷してシール取出口へ排出する写真シール払出装置の制御方法において、
前記印刷手段によるシール台紙の排出後に複製指示があったときに、前記印刷データに基づく写真を複製用シール台紙に印刷して排出する複製工程
を備えたことを特徴とする写真シール払出装置の制御方法。
【請求項１４】
写真シール払出用硬貨投入口への所定の遊技代金の硬貨投入により起動して１回の遊技が開始され、被写体を撮影して得られる被写体画像に必要な編集を施した印刷データに基づく写真を印刷手段によりシール台紙に印刷してシール取出口へ排出する写真シール払出装置の制御方法において、
作成済のシール台紙に印刷された写真を読み取る読取工程と、
複製指示があったときに、前記読取工程で写真を読み取って得られる読取データに基づき前記印刷データを生成するデータ生成工程と、
前記データ生成工程で生成された前記印刷データに基づく写真を複製用シール台紙に印刷して排出する複製工程と
を備えたことを特徴とする写真シール払出装置の制御方法。
【請求項１５】
使用者の操作により追加編集用画像を入力する追加入力工程と、
前記追加入力工程で入力される追加編集用画像を用いて前記印刷データに編集を施す追加編集工程とをさらに備え、
前記複製工程は、前記追加編集工程で編集が施された印刷データに基づく写真を複製用シール台紙に印刷して排出することを特徴とする請求項１３または１４に記載の写真シール払出装置の制御方法。
【請求項１６】
１枚の複製用シール台紙を予め定められた複数の区画に区分した複数の分割パターンを記憶手段に記憶する記憶工程と、
前記記憶工程で前記記憶手段に記憶された前記複数の分割パターンのうちから所望の分割パターンを選択する選択工程と、
前記選択工程で選択された分割パターンに基づき前記印刷データに変更を加えるデータ変更工程とをさらに備え、
前記複製工程は、前記データ変更工程で変更が加えられた印刷データに基づく写真を複製用シール台紙に印刷して排出することを特徴とする請求項１３ないし１５のいずれかに記載の写真シール払出装置の制御方法。
【発明の詳細な説明】
【技術分野】
【０００１】
この発明は、硬貨投入口への所定の遊技代金の硬貨投入により起動し、払い出す写真シールと同等のものを複製可能な写真シール払出装置およびその制御方法に関するものである。
【背景技術】
【０００２】
従来、１人あるいは友人同士の複数人で撮影した写真に、好みの文字や図形等を書き込んで編集した合成画像をシール台紙に印刷して払い出す写真シール払出装置（通常、プリントクラブと称される）が、遊技場を始めとする各所に設置されている。
【０００３】
この種の装置は、硬貨投入口への所定の遊技代金の硬貨投入により起動し、例えばデジタルカメラから成る撮影手段によりユーザを撮影して、そのユーザの写真を表示画面（モニタ）に表示し、ユーザが所望の文字や図形を書き込む（以下では、かかる書き込みを「落書き」とも称する）ために、写真が表示される表示画面に対して落書き用のタッチペンを設け、タッチペンにより書き込まれる文字や図形等の落書き画像を、表示画面に表示されるユーザの写真に重畳描画して編集を施し、プリンタにより編集済みの写真をシール台紙に印刷してシール取出口へ排出するようになっている。
【０００４】
また最近では、若年層を中心に、様々な利用形態に関して多くの要望が提起されている。すなわち、利用形態の１つとして、各自が作成した写真シールのなかの何枚かの写真を親しい友人同士で交換したり、写真シール毎交換することが多く行われている。この場合、写真シール毎交換すると、その交換した写真は作成したユーザ本人の手元には残らないため、ユーザが事前に写真シールをカラーコピー機で複写し、複写物の表面を透明な保護シートで保護した上で交換するなどの工夫を施している。そこで、もっと簡単で手軽な手法で複製を可能にすることが要望されている。
【０００５】
ところで、近年、ＣＣＤカメラを搭載した携帯電話機が広く普及し、このようなカメラ付携帯電話機が有する「いつでもどこでも手軽に撮影できる」という機能と、上記したプリントクラブ（写真シール払出装置）が有する「友人同士で撮影した画像を所定の背景画像に合成して印刷できる」という遊技機能とを併せ持ち、離れている相手といつでもどこでも気軽に複数の画像を合成できるようにしたシステムが提案されている（例えば、特許文献１参照）。
【０００６】
また、カメラ付携帯電話機により撮影した写真を、通常の写真プリントや上記したプリントクラブ（写真シール払出装置）で使用するシールプリントなどにプリントできるようにした装置も提案されている（例えば、非特許文献１参照）。
【０００７】
【特許文献１】特開平１４−１７１４９７号公報（段落０００６〜０００９）
【非特許文献１】富士写真フイルム株式会社、“フジフィルム  プリンピックス  デジタルプリントシステム  「プリンチャオＱｎ」新発売”、［online］、平成１５年４月２４日掲載（平成１５年４月２８日検索）、インターネット＜URL;http://www.fujifilm.co.jp/news_r/nrj1065.html＞
【発明の開示】
【発明が解決しようとする課題】
【０００８】
しかしながら、上記した特許文献１及び非特許文献１に記載の装置等では、最近の若者が望むような写真シールの手軽な複製を実現することはできず、簡単で手軽に写真シールを複製できる装置が望まれる。
【０００９】
そこで、本発明は、簡単で手軽に写真シールを複製できる写真シール払出装置を提供することを目的とする。
【課題を解決するための手段】
【００１０】
上記した目的を達成するために、本発明にかかる写真シール払出装置は、写真シール払出用硬貨投入口への所定の遊技代金の硬貨投入により起動して１回の遊技が開始され、被写体を撮影して得られる被写体画像に必要な編集を施した印刷データに基づく写真を印刷手段によりシール台紙に印刷してシール取出口へ排出する写真シール払出装置において、前記印刷手段によるシール台紙の排出後に複製指示があったときに、前記印刷データに基づく写真を複製用シール台紙に印刷して排出する複製手段を備えたことを特徴としている（請求項１）。
【００１１】
また、上記した目的を達成するために、本発明にかかる写真シール払出装置は、写真シール払出用硬貨投入口への所定の遊技代金の硬貨投入により起動して１回の遊技が開始され、被写体を撮影して得られる被写体画像に必要な編集を施した印刷データに基づく写真を印刷手段によりシール台紙に印刷してシール取出口へ排出する写真シール払出装置において、作成済のシール台紙に印刷された写真を読み取る読取手段と、複製指示があったときに、前記読取手段により写真を読み取って得られる読取データに基づき前記印刷データを生成するデータ生成手段と、前記データ生成手段により生成された前記印刷データに基づく写真を複製用シール台紙に印刷して排出する複製手段とを備えたことを特徴としている（請求項２）。
【００１２】
また、使用者の操作により追加編集用画像を入力する追加入力手段と、前記追加入力手段により入力される追加編集用画像を用いて前記印刷データに編集を施す追加編集手段とをさらに備え、前記複製手段は、前記追加編集手段により編集が施された印刷データに基づく写真を複製用シール台紙に印刷して排出するとしてもよい（請求項３）。
【００１３】
また、１枚の複製用シール台紙を予め定められた複数の区画に区分した複数の分割パターンを記憶する記憶手段と、前記記憶手段に記憶された前記複数の分割パターンのうちから所望の分割パターンを選択するための選択手段と、前記選択手段により選択された分割パターンに基づき前記印刷データに変更を加えるデータ変更手段とをさらに備え、前記複製手段は、前記データ変更手段により変更が加えられた印刷データに基づく写真を複製用シール台紙に印刷して排出するとしてもよい（請求項４）。
【００１４】
また、複製用硬貨投入口を有し、少なくとも前記複製用硬貨投入口への所定の複製代金の硬貨投入があったときに前記複製指示があったものと判定する判定手段をさらに備えたとしてもよい（請求項５）。
【００１５】
また、前記印刷データを保存写真データとして蓄積する蓄積手段と、前記蓄積手段に蓄積された複数の前記保存写真データのうち特定の保存写真データを選定するための選定手段と、前記選定手段により選定された前記特定の保存写真データを前記蓄積手段から読み出す読出手段とをさらに備え、前記複製手段が、前記読出手段により読み出された前記特定の保存写真データに基づく写真を前記印刷データに基づく写真として複製用シール台紙に印刷して排出するとしてもよい（請求項６）。
【００１６】
また、前記選定手段が、前記印刷データについて検索用パスワードを付与し付与した前記検索用パスワードを前記印刷データとともに前記保存写真データとして前記蓄積手段に登録させるパスワード付与手段と、検索用パスワードを入力操作するための操作手段と、前記操作手段の操作により入力される検索用パスワードと前記蓄積手段に蓄積されている前記検索用パスワードとを対比して一致するものがあるかどうかを判断する判断手段とを備えたものであり、前記読出手段が、前記判断手段により一致すると判断された前記検索用パスワードが付与された保存写真データを特定して前記蓄積手段から読み出すものであるとしてもよい（請求項７）。
【００１７】
また、前記複製手段が、複製用シール台紙に前記パスワード付与手段により付与される検索用パスワードを写真と一緒に印刷するものであるとしてもよい（請求項８）。
【００１８】
また、前記蓄積手段に蓄積される複数の前記保存写真データに関する期限管理を行い、蓄積開始から予め定められた期間を経過した保存写真データを順次消去する期限管理手段を備えているとしてもよい（請求項９）。
【００１９】
また、前記蓄積手段が、装置本体の内部或いは装置本体の近辺に設けられているとしてもよい（請求項１０）。
【００２０】
また、サーバ装置と、前記サーバ装置との間で通信回線を介して前記印刷データの送受信を行う通信手段とをさらに備え、前記蓄積手段が、前記サーバ装置に設けられ、前記通信手段および通信回線を介して送信された前記印刷データを蓄積するもので、前記読出手段が、前記通信手段および通信回線を介して前記蓄積手段にアクセスして前記特定の保存写真データを読み出すものであるとしてもよい（請求項１１）。
【００２１】
また、請求項６ないし９のいずれかに記載の写真シール払出装置において、他の前記写真シール払出装置との間で相互に通信回線を介して前記印刷データの送受信を行う通信手段をさらに備え、前記蓄積手段が、他の前記写真シール払出装置に設けられ、前記通信手段および通信回線を介して送信された前記印刷データを蓄積するもので、前記読出手段が、前記通信手段および通信回線を介して前記蓄積手段にアクセスして前記特定の保存写真データを読み出すものであるとしてもよい（請求項１２）。
【００２２】
また、上記した目的を達成するために、本発明にかかる写真シール払出装置の制御方法は、写真シール払出用硬貨投入口への所定の遊技代金の硬貨投入により起動して１回の遊技が開始され、被写体を撮影して得られる被写体画像に必要な編集を施した印刷データに基づく写真を印刷手段によりシール台紙に印刷してシール取出口へ排出する写真シール払出装置の制御方法において、前記印刷手段によるシール台紙の排出後に複製指示があったときに、前記印刷データに基づく写真を複製用シール台紙に印刷して排出する複製工程を備えたことを特徴としている（請求項１３）。
【００２３】
また、上記した目的を達成するために、本発明にかかる写真シール払出装置の制御方法は、写真シール払出用硬貨投入口への所定の遊技代金の硬貨投入により起動して１回の遊技が開始され、被写体を撮影して得られる被写体画像に必要な編集を施した印刷データに基づく写真を印刷手段によりシール台紙に印刷してシール取出口へ排出する写真シール払出装置の制御方法において、作成済のシール台紙に印刷された写真を読み取る読取工程と、複製指示があったときに、前記読取工程で写真を読み取って得られる読取データに基づき前記印刷データを生成するデータ生成工程と、前記データ生成工程で生成された前記印刷データに基づく写真を複製用シール台紙に印刷して排出する複製工程とを備えたことを特徴としている（請求項１４）。
【００２４】
また、使用者の操作により追加編集用画像を入力する追加入力工程と、前記追加入力工程で入力される追加編集用画像を用いて前記印刷データに編集を施す追加編集工程とをさらに備え、前記複製工程は、前記追加編集工程で編集が施された印刷データに基づく写真を複製用シール台紙に印刷して排出するとしてもよい（請求項１５）。
【００２５】
また、１枚の複製用シール台紙を予め定められた複数の区画に区分した複数の分割パターンを記憶手段に記憶する記憶工程と、前記記憶工程で前記記憶手段に記憶された前記複数の分割パターンのうちから所望の分割パターンを選択する選択工程と、前記選択工程で選択された分割パターンに基づき前記印刷データに変更を加えるデータ変更工程とをさらに備え、前記複製工程は、前記データ変更工程で変更が加えられた印刷データに基づく写真を複製用シール台紙に印刷して排出するとしてもよい（請求項１６）。
【発明の効果】
【００２６】
請求項１，１３に記載の発明によれば、印刷手段によるシール台紙の排出後に複製指示があったときに、印刷データに基づく写真が複製用シール台紙に印刷されて排出されるため、作成済の写真シールを簡単に複製することができ、これによってユーザの興趣をより一層そそることが可能になる。
【００２７】
また、請求項２，１４に記載の発明によれば、複製指示があったときに、シール台紙に印刷された写真が読み取られ、読取データに基づく印刷データが生成されて、その印刷データに基づく写真が複製用シール台紙に印刷されて排出されるため、作成済の写真シールを簡単に複製することができ、これによってユーザの興趣をより一層そそることが可能になる。
【００２８】
また、請求項３，１５に記載の発明によれば、追加編集用画像を用いて編集が施された印刷データに基づく写真が複製用シール台紙に印刷されて排出されるため、作成済の写真シールに対して所望の追加落書きを施すことができ、これによってユーザの興趣をより一層そそることが可能になる。
【００２９】
また、請求項４，１６に記載の発明によれば、所望の分割パターンに基づき変更が加えられた印刷データに基づく写真が複製用シール台紙に印刷されて排出されるため、作成済の写真シールに対して所望の分割パターンに変更することができ、これによってユーザの興趣をより一層そそることが可能になる。
【００３０】
また、請求項５に記載の発明によれば、少なくとも複製用硬貨投入口への所定の複製代金の硬貨投入があったときに複製指示があったものと判定されるため、従来からの写真シールの払出しに対して、複製用シール台紙への複製印刷を別の遊技として付加することができ、これによってユーザの興趣をより一層そそることが可能になる。
【００３１】
また、請求項６に記載の発明によれば、特定の保存写真データが選定され、選定された保存写真の画像データが蓄積手段から読み出されるため、以前に複製したお気に入りの写真シールであっても、それを蓄積手段に保存写真データとして蓄積しておくことで、その後お気に入りの保存写真を何度でも呼び出して再度複製することができ、ユーザは気に入った自分の写真シールを何度も複製して楽しむことが可能になる。
【００３２】
また、請求項７に記載の発明によれば、検索用パスワードに基づいて特定の保存写真のデータが蓄積手段から読み出されるため、他のユーザの保存写真を間違って選定することを防止でき、ユーザはお気に入りの自分の保存写真を確実に選ぶことが可能になる。
【００３３】
また、請求項８に記載の発明によれば、所望の写真シールが複製されると、その写真シールには検索用パスワードも一緒に印刷されるため、後日、そのユーザが操作手段の操作によりシール台紙に印刷された検索用パスワードを入力することにより、蓄積手段から読み出すべき保存写真が特定されるため、お気に入りの保存写真を蓄積手段から間違いなく読み出すことが可能になる。
【００３４】
また、請求項９に記載の発明によれば、例えば１週間といった予め定めた期間を経過したデータを順次消去するため、蓄積手段の容量に制限がある場合に有効であり、効率よく保存写真の画像データを蓄積していくことが可能になる。
【００３５】
また、請求項１０，１１に記載の発明によれば、装置本体を設置した場所、或いは、サーバ装置が設置されている場所のいずれか都合の良い方で蓄積する保存写真データの管理を行うことができ、データ管理を効率よく行うことが可能になる。
【００３６】
また、請求項１２に記載の発明によれば、他の写真シール払出装置に設けられた蓄積手段に蓄積された保存写真データの複製を行うことができ、装置の使い勝手を向上することが可能になる。
【発明を実施するための最良の形態】
【００３７】
この発明の一実施形態について図１ないし図９を参照して説明する。但し、図１は写真シール払出装置を構成するシール払出部の外観斜視図、図２は写真シール払出装置を構成するカラーコピー部の外観斜視図、図３は装置のレイアウトの例を示す平面図、図４は写真シール払出装置の電気的構成を示すブロック図、図５ないし図９は動作説明用のフローチャートである。
【００３８】
（装置の全体構成）
図１および図２に示すように、この写真シール払出装置は、それぞれ別々の筐体で構成されるシール払出部１とカラーコピー部１００とから構成されている。これらのシール払出部１およびカラーコピー部１００は、たとえば図３（Ａ）に示すように互いに接するように配置してもよく、あるいは図３（Ｂ）に示すように互いに引き離して配置するようにしてもよい。なお、図３中、それぞれ一点鎖線で示すエリア２はシール払出部１のユーザのためのスペースであり、エリア３はカラーコピー部１００のユーザのためのスペースである。
【００３９】
まず、図１および図４を参照して、シール払出部１の装置構成について説明する。このシール払出部１は、一般にプリントクラブと称されるもので、装置本体１１の前面中央に設けられた撮影ユニット２０で撮影された写真が、装置本体１１の前面中央下部に設けられた表示手段としてのメインパネル３０のメイン画面領域３１に表示される。そして、ユーザがタッチペン５０ａ，５０ｂとメインパネル３０に設けられている操作画面領域３２とメインパネル３０の左右に設けられた落書きパネル４０とを用いて、メインパネル３０に表示された画像に対し図形や文字等の編集用画像を書き込む（以下、このような書き込みを「落書き」とも称する）などの編集を施した後、その編集が施された画像を装置本体１１の内部に設けられた印刷手段としてのフルカラー式のプリンタ５５がシール台紙に印刷し、その印刷した写真シールを装置本体１１の側面に設けられたシール取出口１２から排出する。
【００４０】
撮影ユニット２０には、ＣＣＤカメラ２１および撮影モニタ２２が設けられており、撮像手段として機能するＣＣＤカメラ２１が被写体の写真を撮影する一方、撮影モニタ２２には現在ＣＣＤカメラ２１に映る画像が表示され、ユーザはこの撮影モニタ２２に表示された画像を見ながら撮影する写真の構図を決めることができるようになっている。また、この撮影ユニット２０は所定の範囲内で撮影方向を上下左右に可動自在となっており、ユーザが上記した写真の構図を自由に設定できるようになっている。すなわち、撮影ユニット２０は、撮影ユニット駆動部２３に取り付けられていて、後述するコントローラ部２００からの指令に基づいて撮影ユニット駆動部２３が撮影ユニット２０を駆動することにより、撮影ユニット２０の撮影方向の上下左右への可変設定が行われる。
【００４１】
こうしてＣＣＤカメラ２１により撮影された写真は、メインパネル３０のほぼ中央部に形成されたメイン画面領域３１と、メインパネル３０の左右に設けられた落書きパネル４０の落書き画面領域４１および４２とに表示される。メインパネル３０は、画像を表示するための画面を有するメイン画面領域３１と、その周辺、たとえば左右に配置された選択ボタンなどが表示される操作画面領域３２と、それらの画面上に設けられたデジタイザ３３とで構成されている。落書きパネル４０は、画像を表示するための画面を有する落書き画面領域４１および４２と、それらの画面上に設けられたデジタイザ４３とで構成されている。
【００４２】
本実施形態では、メイン画面領域３１が、撮影された写真画像またはこれに図形や文字等の編集用画像を書き込んだ編集中のもしくは編集の済んだ画像を表示するようになっている。また、この実施形態では、落書き画面領域４１および４２の近傍にそれぞれタッチペン５０ａおよび５０ｂが設けられ、それぞれ接続ケーブル５１ａおよび５１ｂによって装置本体１１と接続されており、デジタイザ３３，４３により、タッチペン５０ａおよび５０ｂが触れた画面上の位置を検出している。
【００４３】
そして、メインパネル３０のメイン画面領域３１のたとえば左右に形成された操作画面領域３２は、ユーザがタッチペン５０ａおよび５０ｂを把持してその先端をこの操作画面領域３２に触れることによって、予め選択した図形の配置を指定したり、手書き文字を入力したり、表示色を選択したりすることができるようになっている。また、この操作画面領域３２には、装置の動作状況に応じて上記した描画パターンのメニュー以外にも、上記した撮影ユニット２０の移動やシャッター操作などを行うためのメニューや他の編集作業のためのメニュー等の各操作メニューも表示することができるようになっている。
【００４４】
なお、メインパネル３０および落書きパネル４０としては、陰極線管式、液晶ディスプレイ、リアプロジェクション式など、種々の方式が考えられるが、これらおよびそれ以外のいずれの方式であってもよい。また、デジタイザ３３，４３としては、赤外線方式、容量結合方式など、種々の方式が考えられるが、本実施形態においては、可視光に対する透過性があり、タッチペン５０ａ，５０ｂとの組合せによって使用できるものであって、複数の入力を識別することができるものであれば、どのような方式のものであってもよい。
【００４５】
ところで、この他装置本体１１には、利用者が所定の遊技代金を投入するための写真シール払出用硬貨投入口１６、装置の管理者がこれを取り出すための硬貨取出口１７、装置本体１１の複数箇所に配設され鮮明な写真を撮影するために必要な露光量を確保するための蛍光灯からなる照明光源６１，６２、音声による操作案内や背景音楽などを流すためのスピーカ７０がそれぞれ設けられている。さらに、各照明光源６１，６２のほかに、装置本体１１に配設されて撮影時に影をなくすために点滅駆動されるストロボが設けられている。そして、これら各照明光源６１，６２およびストロボにより照明部６０が構成されている。
【００４６】
次に、図２および図４を参照して、カラーコピー部１００の装置構成について説明する。このカラーコピー部１００は、シール払出部１や他の写真シール払出装置による作成済の写真シールとほぼ同等のものを複製するものであり、本発明における複製手段に相当する。たとえばシール払出部１に引き続いて利用するユーザは、その印刷データに基づき複製することができ、たとえば作成済の写真シールを所有するユーザは、装置本体１０１のほぼ中央の左側に設けられた読取手段としてのフラットベッドスキャナ（以下、単にスキャナと称する）１１０により、複製原本となる作成済の写真シールに印刷されている写真を読み取ることにより複製することができる。尚、符号１１１はスキャナ１１０の読取面のカバーを示す。
【００４７】
そして、装置本体１０１のスキャナ１１０の右側に設けられたＣＲＴまたはＬＣＤからなる表示手段としてのメインパネル１２０に、シール払出部１での印刷データに基づく写真や、スキャナ１１０により読み取られた写真が表示される。このとき、ユーザがメインパネル１２０の近傍に設けられたタッチペン１２１とメインパネル１２０に重畳されているタッチパネル１２３とを用いて、メインパネル１２０に表示された写真に対して所望の図形や文字等の書き込み（以下、このような書き込みを「追加落書き」と称する）を行うと、装置本体１０１の内部に設けられたコントローラ部２００により、追加落書きされた画像が表示中の写真に重畳描画されて写真に追加編集が施され、その追加編集が施された写真が装置本体１０１の内部に設けられたフルカラー式のプリンタ１４０により複製用シール台紙に印刷されて装置本体１０１下部の写真シール排出用の第１排出口１３１から排出される。但し、タッチペン１２１は接続ケーブル１２２により装置本体１０１に接続されている。
【００４８】
ところで、装置本体１０１の上部には案内表示部１０２が設けられ、これにより装置の操作や機能の概要が案内表示される。この案内表示部１０２は、ＣＲＴやＬＣＤのようにコントローラ部２００から送られてくる所定の画像データに基づいて案内メッセージを表示する手段により構成するほか、案内メッセージが書かれたボードやシートを貼付したものを用いてもよい。尚、案内表示部１０２に代わり、メインパネル１２０によりこの案内表示部１０２を兼用して１つのメインパネル１２０により案内メッセージの表示と読み取った写真の表示とを切り替えるようにしてもよく、こうすることで案内表示部１０２を無くして装置の構成を簡素化することができる。この場合、兼用するメインパネル１２０の位置は、図２のようにスキャナ１１０の隣に限定されるものではなく、ユーザがタッチペン１２１やタッチパネル１２３で落書きし易い位置にメインパネル１２０を配置すればよい。
【００４９】
また、本カラーコピー部１００には、複製の原本となる写真シールや複製された写真シールの印刷面側に透明保護シートを貼付する機能が設けられ、ユーザによるシートの排出操作に応じて写真シールの大きさに合わせた透明保護シートをシート排出用の第２排出口１３２から排出し、排出された透明保護シートと写真シールとを挿入口１０３から一緒に挿入すると、装置本体１０１の内部で写真シールの印刷面側に透明保護シートを貼付されて第３排出口１３３から排出される。従って、複製した写真シールに透明保護シートを貼付するほか、原本の写真シールに透明保護シートを貼付することもできる。この場合、例えば周知のホットラミネート加工により保護シートを貼付することができ、透明保護シートとしてのラミネートフィルムを写真シールの印刷面側に重ね、重ねたラミネートフィルムを加熱圧着すれば、写真シールの印刷面側をツルツルの状態に保護することができる。尚、以下では透明保護シートの貼付処理をラミネート処理と称する。
【００５０】
また、装置本体１０１には、ユーザが所定の複製代金を投入するための複製用硬貨投入口１０４が設けられ、装置の管理者が投入された硬貨を取り出し回収するための硬貨取出口１０５が設けられている。更に、シール払出部１と同様に、装置本体１０１の前面上部には、音声による操作案内、効果音や背景音楽等を流すためのスピーカ１０６が一対設けられており、このスピーカ１０６からは、予めハードディスク（ＨＤ）装置２０３等にデータ格納されたバックミュージックデータや各種の案内用音声データが音声化されて出力される。ここで、必要に応じて、装置本体１０１の複数箇所に蛍光灯その他の照明光源を設けておいてもよく、その場合にはこれらの照明光源が照明部６０を構成する。
【００５１】
そして、作成済の写真シールの写真がスキャナ１１０により読み取られると、上記したように、メインパネル１２０に表示されるが、このメインパネル１２０のほぼ中央部に形成された落書き画面領域１２４に読み取られた写真が表示され、この落書き画面領域１２４の周辺、たとえば左右には種々の操作用キー画像や機能選択画像を表示するための操作画面領域１２５が配置され、メインパネル１２０に重畳された例えば抵抗膜式のタッチパネル１２３にタッチペン１２１や指を接触することで、その接触した操作画面領域１２５に表示されているキー画像や機能選択画像に割り付けられた機能が実行されるようになっている。
【００５２】
例えば、写真を表示する落書き画面領域１２４にタッチペン１２１を接触して線画を描画すると、描画した線画による文字や図形等が表示中の写真に重畳して表示される。更に、落書き画面領域１２４に表示中の写真の特定部分に所望の色づけを行うために、タッチペン１２１により、操作画面領域１２５に表示される色選択画像から所望の色を選択してからその特定部分に接触すると、その特定部分の色づけが行われる。また、予め登録されている「星」や「ハート」のマークを、落書き画面領域１２４に表示中の写真の特定部分に重畳するために、タッチペン１２１により、操作画面領域１２５に表示されるマーク選択画像から所望のマークを選択してからその特定部分に接触すると、その特定部分に選択したマークが重畳描画される。更に、描画する図形の形や文字の色、描線の太さ等を選択して描画する場合も同様に行われる。さらにまた、後述する分割パターンの選択を行う場合には、タッチペン１２１により、所望の分割パターンを表示する部分に接触すると、その分割パターンが選択される。このように、タッチペン１２１及びメインパネル１２０に重畳されたタッチパネル１２３により、本発明における追加入力手段および選択手段が構成されている。また、追加落書きのための文字や図形等、色づけ、マークが、本発明における追加編集用画像に対応する。
【００５３】
尚、タッチパネル１２３に代えて、メインパネル１２０の画面上にデジタイザを設けてもよく、この場合のデジタイザとしては、赤外線方式、容量結合方式など、種々の方式が考えられるが、本実施形態においては、可視光に対する透過性があり、タッチペン１２１との組合せにより使用できるものであればどのような方式のものであってもよい。
【００５４】
（コントローラ部）
この写真シール払出装置の全体を制御する手段として、図４に示すようにコントローラ部２００が設けられており、以下にその構成および機能について説明する。このコントローラ部２００には、ＣＰＵ２０１が設けられており、このＣＰＵ２０１が、予め設定されたプログラムを実行して装置各部を制御する。また、コントローラ部２００には、ＣＰＵ２０１が実行すべきプログラムや装置の動作状態や各種データを一時記憶するメモリ２０２と、撮影された画像データやスキャナ１１０の読み取りによる写真データや後述するパスワードデータや後述する分割パターンなどを記憶するためのハードディスク（ＨＤ）装置２０３（記憶手段）が設けられている。さらに、コントローラ部２００には、画像入力部２０４、表示処理部２０５、入力処理部２０６、画像処理部２０７、画像出力部２０８、照明駆動部２０９、硬貨処理部２１０、タイマ部２１１、通信処理部２１２、供給駆動部２１３、加熱制御部２１４が設けられており、これら各機能ブロックが内部バス２１５を介して相互に接続され、それぞれＣＰＵ２０１によって制御される。
【００５５】
まず、シール払出部１に関する機能について説明する。画像入力部２０４はＣＣＤカメラ２１からの画像データを受け付けてデジタル信号に変換する。表示処理部２０５はメインパネル３０の撮影画像などの表示を制御する。入力処理部２０６はデジタイザ３３およびタッチペン５０ａ，５０ｂからの位置情報を処理する。画像処理部２０７は撮影された画像に落書き画像を重ね合わせた合成画像の印刷データを生成する。画像出力部２０８はプリンタ５５に対して制御信号および画像処理部２０７の印刷データに基づく画像信号を出力する。照明駆動部２０９は照明光源６１，６２の駆動回路であるインバータ回路およびストロボの駆動回路により構成される。硬貨処理部２１０は写真シール払出用硬貨投入口１６から投入された硬貨の金額を検出して所定の遊技代金を検出したときにＣＰＵ２０１にその旨を通知する。タイマ部２１１は写真シール払出用硬貨投入口１６への所定の遊技代金の硬貨投入により１回の遊技につき予め設定された設定時間を計時する。
【００５６】
次に、カラーコピー部１００に関する機能について説明する。画像入力部２０４はスキャナ１１０からの読取データを受け付けてデジタル信号に変換する。表示処理部２０５はメインパネル１２０および案内表示部１０２の表示を制御する。入力処理部２０６はタッチパネル１２３やタッチペン１２１による位置情報を処理する。画像処理部２０７は例えばスキャナ１１０による読取データに追加落書き画像を重ね合わせた合成画像の印刷データを生成する。画像出力部２０８はプリンタ１４０に対して制御信号および画像処理部２０７の印刷データに基づく画像信号を出力する。硬貨処理部２１０は複製用硬貨投入口１０４から投入された硬貨の金額を検出して所定の複製代金や貼付代金を検出したときにＣＰＵ２０１にその旨を通知する。タイマ部２１１は複製用硬貨投入口１０４への所定の複製代金や貼付代金の硬貨投入により１回の遊技につき予め設定された設定時間を計時する。
【００５７】
なお、タイマ部２１１の設定時間は、シール払出部１およびカラーコピー部１００ともに同じ時間（例えば５分間）で、装置管理者がタイマ部２１１の調整により可変設定できるようになっている。また、この実施形態では、シール払出部１の遊技代金（例えば４００円）に比べてカラーコピー部１００の複製代金や貼付代金は安価に設定されている（例えば写真シールの複製が２００円、保護シートの貼付だけなら１００円）。そして、硬貨処理部２１０が所定の遊技代金、複製代金や貼付代金を検出してＣＰＵ２０１にその旨が通知されると、メインパネル３０や案内表示部１０２にオープニングデモ画面を再生する待機モードから遊技モードに切換制御される。特に、複製用硬貨投入口１０４に投入される硬貨を検出して複製指示ありと判定してカラーコピー部１００の制御が行われるため、硬貨処理部２１０およびＣＰＵ２０１が本発明における判定手段に相当する。
【００５８】
ここで、カラーコピー部１００における機能について、さらに詳しく説明する。この実施形態では、ユーザはシール払出部１やカラーコピー部１００をそれぞれ単独で利用できるとともに、シール払出部１に引き続いてカラーコピー部１００を利用できるようになっている。すなわち、シール払出部１を単独で利用する場合には、この装置は従来と同様の写真シール払出装置として機能する。一方、カラーコピー部１００を単独で利用する場合や、シール払出部１に引き続いてカラーコピー部１００を利用する場合には、この装置は従来とは全く異なり、写真シールが複製可能な写真シール払出装置として機能する。
【００５９】
ユーザがカラーコピー部１００を単独で利用する場合において、作成済の写真シールをスキャナ１１０で読み取る場合には、画像処理部２０７は、スキャナ１１０により写真を読み取った読取データに基づき印刷データを生成する。一方、ユーザがシール払出部１に引き続いてカラーコピー部１００を利用する場合には、画像処理部２０７は、シール払出部１において生成した印刷データをそのままカラーコピー部１００における印刷データとする。
【００６０】
また、ユーザがカラーコピー部１００において追加落書きを行う場合には、追加落書きに基づき印刷データに編集が施される。さらに、ユーザがカラーコピー部１００において後述する分割パターンの選択を行う場合には、選択された分割パターンに基づき印刷データに変更が加えられる。そして、画像出力部２０８は、画像処理部２０７からの印刷データ、編集が施された印刷データ、または変更が加えられた印刷データ、あるいは、編集が施され更に変更が加えられた印刷データに基づく画像信号をプリンタ１４０に出力することとなる。その結果、プリンタ１４０は画像処理部２０７からの印刷データに基づく写真を複製用シール台紙に印刷して排出する。このように、画像処理部２０７が本発明におけるデータ生成手段に相当し、入力処理部２０６及び画像処理部２０７が本発明における追加編集手段およびデータ変更手段に相当する。
【００６１】
図４のコントローラ部２００において、通信処理部２１２は、通信手段を構成するもので、同じく通信手段を構成する簡易型携帯電話（以下、これをＰＨＳと称する）２２１とともに外部装置２２２との間の通信を処理するものである。この外部装置２２２は、この実施形態では大容量の記憶部を備えたサーバ装置からなり、本発明における蓄積手段として機能し、後に詳述するように、ユーザにより「保存する」という選択がなされると、複製用シール台紙に編集済みの写真と一緒に印刷されるべき検索用パスワードを、その複製用シール台紙に印刷された写真の印刷データと共に保存写真データとして記憶保持するようになっている。その際、複製用シール台紙の印刷時に、ＰＨＳ２２１および通信処理部２１２を介してコントローラ部２００と外部装置（以下、サーバ装置という）２２２との間が通信回線で接続され、複製用シール台紙に印刷された写真の印刷データと検索用パスワードとが送信されてくると、サーバ装置２２２は検索用パスワード毎に対応したアドレスにこれらを保存写真データとして格納する。
【００６２】
このとき、サーバ装置２２２には管理機能が設けられ、この管理機能により、サーバ装置２２２に蓄積される複数の写真の画像データに関する期限管理が行われ、蓄積開始から予め定められた例えば１週間という期間を経過したデータは自動的に順次消去されるようになっている。このようなサーバ装置２２２側に設けられた管理機能による期限管理処理が、本発明における期限管理手段に相当する。
【００６３】
一方、ユーザにより後述するような「保存写真」という選択がなされて、そのユーザにより事前に付与されている検索用パスワードが入力されると、ＰＨＳ２２１および通信処理部２１２を介してサーバ装置２２２との間が通信回線で接続され、入力された検索用パスワードがサーバ装置２２２に送信され、その検索用パスワードに対応するアドレスがアクセスされてそこに格納されている保存写真データが読み出され、サーバ装置２２２からＰＨＳ２２１および通信処理部２１２を介しその保存写真データが送信されて編集に供される。
【００６４】
ところで、ＣＰＵ２０１の制御により、メインパネル１２０の落書き画面領域１２４あるいはその左右の操作画面領域１２５には、所定の遊技段階、具体的にはスキャナ１１０による読取段階において、読み取った写真を保存するかどうかを選択するための選択表示がなされる。そして、ユーザにより「保存する」が選択されると、ＣＰＵ２０１の制御により、検索用パスワードが発行、付与され、メインパネル１２０の落書き画面領域１２４に表示されると共に、複製用シール台紙の余白部分に写真と一緒にその検索用パスワードが印刷されるようになっている。
【００６５】
このとき、パスワードを入力するためのパスワード入力画面がメインパネル１２０の落書き画面領域１２４あるいはその左右の操作画面領域１２５に表示され、ユーザが数字や英文字の組み合わせ等による自分固有のパスワードを入力することにより、ＣＰＵ２０１によりＨＤ装置２０３に登録済みのパスワードの中に重複するものがないかどうか調べられ、重複するものがなければ、入力されたパスワードがそのユーザ固有の検索用パスワードとして許可されて発行、付与される。
【００６６】
更に、そのユーザが保存した写真を気に入り、後日、その写真を再度複製して落書きをしたいときのために、ＣＰＵ２０１の制御により、メインパネル１２０の落書き画面領域１２４あるいはその左右の操作画面領域１２５には、所定の遊技段階、具体的にはコース選択段階で保存写真を選択するための選択表示がなされる。そして、ユーザにより「保存写真」が選択されると、上記したパスワード入力画面が再びメインパネル１２０の落書き画面領域１２４あるいはその左右の操作画面領域１２５に表示され、ユーザに対して検索用パスワードの入力操作を促し、ユーザにより検索用パスワードが入力されて、これにより特定の保存写真の選定が行われると、サーバ装置２２２との間の通信回線が接続されてサーバ装置２２２にアクセスされ、入力された検索用パスワードと登録済みの検索用パスワードとが対比されて一致するものがあるかどうか判断され、一致するものがあればそのパスワードに対応する保存写真のデータが読み出されてメインパネル１２０の落書き画面領域１２４にその保存写真が表示されるようになっている。
【００６７】
このようなＣＰＵ２０１等による処理が、本発明における選定手段に相当し、更には検索用パスワードの付与処理が本発明におけるパスワード付与手段に相当し、パスワード入力画面の表示によりパスワード入力を促す処理が本発明における操作手段に相当し、入力される検索用パスワードとサーバ装置２２２に登録済みのパスワードとの対比・判断処理が、本発明における判断手段に相当し、サーバ装置２２２から該当する保存写真データを読み出す処理が、本発明における読出手段に相当する。
【００６８】
図４のコントローラ部２００において、供給駆動部２１３はフィルム供給部２２３を回転駆動するたとえば駆動モータ等からなるもので、加熱制御部２１４は加熱圧着部２２４の動作を制御するものである。供給駆動部２１３によりフィルム供給部２２３が回転駆動され、ロール状に巻回された透明保護シートであるラミネートフィルムが写真シールの大きさに合うようにフィルム供給部２２３の切断機能により切断され、或いは、写真シールの大きさが一定の場合には、供給駆動部２１３およびフィルム供給部２２３の動作により写真シールの大きさに合致した大きさのラミネートフィルムが１枚ずつ取り出されて、第２排出口１３２に排出されるようになっている。また、加熱制御部２１４により加熱圧着部２２４のヒータが通電されると、ラミネートフィルム（透明保護シート）が加熱されつつ写真シールの印刷面側に圧着され、写真シールの印刷面が片面ラミネート加工されてツルツルの状態に保護されるようになっている。
【００６９】
（装置の動作）
図５はユーザがシール払出部１に引き続いてカラーコピー部１００を利用する場合の動作手順を示すフローチャートである。この装置では、動作の進行に伴って、予めＨＤ装置２０３に記憶された音声データをスピーカ７０，１０６から再生するとともに、カラーコピー部１００の案内表示部１０２への案内メッセージを表示することによって、利用者に対して各部１，１００の操作の案内を行っているので、装置に不慣れな利用者であっても簡単かつ確実に操作を行えるようになっている。
【００７０】
まず、電源が投入されて装置各部が起動されると、予め設定されてＨＤ装置２０３に記憶された画像および音声によるオープニングデモ画面（たとえば本装置の操作方法やイメージムービー）がメインパネル３０のメイン画面領域３１、スピーカ７０，１０６および案内表示部１０２から再生され、硬貨が投入されるまでシール払出部１およびカラーコピー部１００は待機モードとなる。
【００７１】
続いて、ユーザにより所定の硬貨がシール払出部１の写真シール払出用硬貨投入口１６に投入されたことが検知されると（Ｓ１）、まずＣＣＤカメラ２１により被写体を撮影する写真撮影が行われる（Ｓ２）。この写真撮影モードでは、ユーザの操作によって撮影ユニット２０の調整やＣＣＤカメラ２１のズーム操作等が可能となっており、ユーザは撮影モニタ２２に表示される画像を確認しながら、撮影する写真の構図を自由に設定することができる。
【００７２】
更に、背景となる画像をユーザに選択させる背景選択モードが実行される（Ｓ３）。具体的には、予めＨＤ装置２０３に記憶された複数の背景画像データを読み出し、例えばメインパネル３０の操作画面に読み出した各背景画像データによる複数の背景画像を表示させ、ユーザが好みの画像に触れることにより選択した背景画像を先に撮影した写真画像と重ね合わせてメイン画面領域３１に表示させる。そして、ユーザが気に入れば、操作画面の例えば「ＯＫ」と表示された部分に触れることで背景画像を確定する。
【００７３】
そして、写真および背景画像に図形や文字等を書き込む落書きが行われ（Ｓ４）、この画像編集が終了すると、ユーザにより、予め設定された撮影回数の範囲内で別の写真撮影を行うか否かの選択が行われ（Ｓ５）、撮影を続行する場合には上記したステップＳ２に戻り、こうすることによって、編集された複数の画像がＨＤ装置２０３に記憶される。
【００７４】
こうして所定枚数の画像編集が終了すると、複数回の写真撮影が行われた場合には印刷すべき写真（編集された画像）の選択が行われ（Ｓ６）、これらの写真のシール台紙上への配置を決める分割パターンの選択が行われる（Ｓ７）。すなわち、ＨＤ装置２０３には、１枚のシール台紙を複数の区画に区分した分割パターンが複数種類記憶されており、ユーザにこれらの分割パターンのなかから１つを選択させるとともに、選択された各写真をどの区画に配置するかを決定させる。これらの分割パターンとしては、例えば１枚のシール台紙を全て同じサイズの区画（４分割や８分割等）に区分するものや、形状・サイズの異なる区画を含むものなどを用いることができる。
【００７５】
次いで、プリンタ５５により、編集された画像が選択された分割パターンでシール台紙に印刷され、作成された写真シールがシール取出口１２に排出される（Ｓ８）。続いて、動作を終了するか否かの選択をユーザに促し（Ｓ９）、終了が選択されると、ステップＳ１に戻ってオープニングムービーを再生する待機モードに移行する一方、終了しない場合には、カラーコピー部１００の複製用硬貨投入口１０４への硬貨投入を待機する（Ｓ１０）。
【００７６】
そして、たとえば所定時間内に複製用硬貨投入口１０４への所定の硬貨投入が検知されると、ステップＳ８の印刷に用いた印刷データに対して追加の落書きを行うか否かをユーザに選択させ（Ｓ１１）、追加落書きを行うと選択されると、ユーザにより追加落書きが行われる（Ｓ１２）。続いて、分割パターンの選択のやり直しを行うか否かをユーザに選択させ（Ｓ１３）、ユーザが分割パターンの再度の選択を行う場合には、ユーザにより分割パターンの選択が行われる（Ｓ１４）。
【００７７】
次いで、プリンタ１４０により、写真が複製用シール台紙に印刷されて第１排出口１３１に排出される（Ｓ１５）。したがって、ステップＳ１１〜Ｓ１４で追加落書きも分割パターンの選択も行われない場合には、ステップＳ８で印刷された写真と全く同じ写真シールが得られ、ステップＳ１１〜Ｓ１４で追加落書きや分割パターンの選択が行われた場合には、ステップＳ８で印刷された写真に追加落書きが行われた写真シールや、分割パターンの異なる写真シールが得られることとなる。
【００７８】
図６〜図９はユーザがカラーコピー部１００を単独で利用する場合の動作手順を示すフローチャートで、図６はメインルーチンを示し、図７〜図９は図６のサブルーチンを示している。図６において、電源が投入されて装置各部が起動されると、予め設定されてＨＤ装置２０３に記憶された画像および音声によるオープニングデモ画面が案内表示部１０２およびスピーカ１０６から再生され、硬貨が投入されるまで待機モードとなる点は、図５と同様である。
【００７９】
まず、１回分の遊技料金に相当する硬貨が投入されると（Ｓ２１）、「複製コース」、「ラミネートコース」、「保存写真コース」のいずれかのコースの選択がユーザに促される（Ｓ２２）。ここで、たとえば貼付代金（たとえば１００円）のみが投入されたときは、「ラミネートコース」のみを選択可能にすればよい。
【００８０】
ステップＳ２２で、「複製コース」が選択されたときには、後に詳述する複製処理（Ｓ２３）に移行する。この複製処理に続いて、ラミネート処理をするか否かの判定がなされ（Ｓ２４）、具体的には、ラミネート処理をするか否かのメッセージが案内表示部１０２（または／およびメインパネル１２０）に表示されると共にスピーカ１０６からガイダンスが出力され、このメッセージ及びガイダンスにより、ユーザに対して「ラミネート処理をする」か「ラミネート処理をしない」かのどちらかの選択処理が促される。
【００８１】
そして、ステップＳ２４において「ラミネート処理をする」が選択されて判定結果がＹＥＳになれば、後に詳述するラミネート処理（Ｓ２５）に移行し、「ラミネート処理をしない」が選択されて判定結果がＮＯになれば、そのまま動作は終了して、オープニングデモ画面を再生する待機モードに戻る。
【００８２】
ところで、上記したステップＳ２２で「ラミネートコース」が選択された場合は、ステップＳ２４の判定結果がＹＥＳの場合と同様に、後に詳述するラミネート処理（Ｓ２５）に移行する。また、上記したステップＳ２２で「保存写真コース」が選択された場合には、後に詳述する保存写真の複製処理（Ｓ２６）に移行し、この保存写真の複製処理が終了すると、上記したステップＳ２４に進む。
【００８３】
図７は、上記したステップＳ２３の複製処理サブルーチンを示すフローチャートである。図６のステップＳ２２で「複製コース」が選択されると、図７の複製処理サブルーチンに移行し、原本となる写真シールをスキャナ１１０の読取面に置く旨のメッセージが案内表示部１０２（または／およびメインパネル１２０）に表示されると共にスピーカ１０６からガイダンスが出力され、このメッセージ及びガイダンスに従い、ユーザが原本となる写真シールをスキャナ１１０の読取面に置くと、スキャナ１１０により写真シールに印刷されている写真が読み取られ、読取データに基づく画像がメインパネル１２０の落書き画面領域１２４に表示される（Ｓ３１）。
【００８４】
その後、読み取った写真のデータを保存するか否かの判定がなされる（Ｓ３２）。具体的には、保存するか否かのメッセージが案内表示部１０２（または／およびメインパネル１２０）に表示されると共にスピーカ１０６からガイダンスが出力され、このメッセージ及びガイダンスにより、ユーザに対して「保存する」か「保存しない」かのどちらかの選択処理が促される。
【００８５】
そして、ステップＳ３２において「保存する」が選択されて判定結果がＹＥＳになれば、メインパネル１２０の落書き画面領域１２４あるいはその左右の操作画面領域１２５に表示されるパスワード入力画面の操作により、そのユーザに数字や英文字の組み合わせ等による自分固有のパスワードの入力が促され、パスワードが入力されると、ＣＰＵ２０１によりＨＤ装置２０３に登録済みのパスワードの中に重複するものがないかどうか調べられ、重複するものがなければ、入力されたパスワードがそのユーザ固有の検索用パスワードとして許可されて発行、付与される（Ｓ３３）。
【００８６】
このとき、ＰＨＳ２２１および通信処理部２１２を介してコントローラ部２００とサーバ装置２２２との間が通信回線で接続され、ステップＳ２３で読み取られた写真の読取データとステップＳ２５で発行される検索用パスワードがサーバ装置２２２に送信され、サーバ装置２２２によりその検索用パスワードに対応するアドレスに送信されてきた写真の読取データと検索用パスワードとが保存写真データとして保存され（Ｓ３４）、次のステップＳ３５に移行する。
【００８７】
一方、ステップＳ３２において「保存しない」が選択されて判定結果がＮＯであれば、そのまま次のステップＳ３５に移行する。続くステップＳ３５〜Ｓ３８は、上記図５のステップＳ１１〜Ｓ１５と同様の動作が行われる。すなわち、写真の読取データに基づく印刷データに対して追加落書きを行うか否かをユーザに選択させ（Ｓ３５）、追加落書きを行うと選択されると、ユーザにより追加落書きが行われる（Ｓ３６）。続いて、分割パターンの選択のやり直しを行うか否かをユーザに選択させ（Ｓ３７）、ユーザが分割パターンの再度の選択を行う場合には、ユーザにより分割パターンの選択が行われる（Ｓ３８）。
【００８８】
次いで、複製する枚数を設定すべき旨のメッセージが案内表示部１０２（または／およびメインパネル１２０）に表示されると共にスピーカ１０６からガイダンスが出力され、このメッセージ及びガイダンスに従ってユーザが予め定められた枚数の範囲内で枚数を設定すると（Ｓ３９）、設定された枚数の複製写真シールがプリンタ１４０により印刷されて第１排出口１３１から排出されて（Ｓ４０）、図６のメインルーチンに戻る。すなわち、ステップＳ２４に進む。
【００８９】
図８は、上記したステップＳ２６の保存写真の複製処理サブルーチンを示すフローチャートである。図６のステップＳ２２で「保存写真コース」が選択されると、図８の保存写真の複製処理サブルーチンに移行し、メインパネル１２０の落書き画面領域１２４あるいはその左右の操作画面領域１２５に表示されるパスワード入力画面の操作により、そのユーザに対し上記したステップＳ２５の処理で発行された検索用パスワードの入力が促され、ユーザにより検索用パスワードの入力が行われると（Ｓ４１）、通信処理部２１２およびＰＨＳ２２１を介してコントローラ部２００とサーバ装置２２２との間の通信回線が接続され、入力された検索用パスワードとサーバ装置２２２に登録済みの検索用パスワードとが対比されて一致するものがあるかどうか判断され、一致するものがあればその検索用パスワードに対応するサーバ装置２２２のアドレスがアクセスされ、そこに格納されている保存写真データが検索されて読み出され、通信処理部２１２およびＰＨＳ２２１を介してサーバ装置２２２から読み出された保存写真データが表示処理部２０５に送られて、メインパネル１２０の落書き画面領域１２４にその保存写真が表示される（Ｓ４２）。
【００９０】
その後、上記した図７のステップＳ３５〜Ｓ４０と同様の動作が行われる。すなわち、写真の読取データに基づく印刷データに対して追加落書きを行うか否かをユーザに選択させ（Ｓ４３）、追加落書きを行うと選択されると、ユーザにより追加落書きが行われる（Ｓ４４）。続いて、分割パターンの選択のやり直しを行うか否かをユーザに選択させ（Ｓ４５）、ユーザが分割パターンの再度の選択を行う場合には、ユーザにより分割パターンの選択が行われる（Ｓ４６）。
【００９１】
次いで、複製する枚数を設定すべき旨のメッセージが案内表示部１０２（または／およびメインパネル１２０）に表示されると共にスピーカ１０６からガイダンスが出力され、このメッセージ及びガイダンスに従ってユーザが予め定められた枚数の範囲内で枚数を設定すると（Ｓ４７）、設定された枚数の複製写真シールがプリンタ１４０により印刷されて第１排出口１３１から排出されて（Ｓ４８）、図６のメインルーチンに戻る。すなわち、ステップＳ２４に進む。
【００９２】
図９は、上記したステップＳ２５のラミネート処理サブルーチンを示すフローチャートである。図６のステップＳ２２で「ラミネートコース」が選択された場合、あるいは、図６のステップＳ２４の判定結果がＹＥＳの場合には、図９のラミネート処理サブルーチンに移行し、供給駆動部２１３及びフィルム供給部２２３が制御されて、ラミネートフィルムが第２排出口１３２から排出される（Ｓ５１）。
【００９３】
そして、ユーザが、第２排出口１３２から排出されたラミネートフィルムを原本の写真シールまたは複製された写真シールの印刷面側に重ねて挿入口１０３に挿入することにより、加熱制御部２１４及び加熱圧着部２２４が制御されて、写真シールの印刷面にラミネートフィルム（透明保護シート）が貼付され、写真シールが片面ラミネート加工されてその印刷面側がツルツルに保護され（Ｓ５２）、ラミネート加工された写真シールが第３排出口１３３から排出されて（Ｓ５３）、その後サブルーチンは終了する。すなわち、オープニングデモ画面を再生する待機モードに戻る。
【００９４】
従って、上記した実施形態によれば、シール払出部１で作成した写真シールや既に所有している作成済の写真シールをカラーコピー部１００において非常に簡単に複製することができ、これによってユーザの興趣をより一層そそることができる。また、カラーコピー部１００において作成済の写真シールに対して所望の追加落書きを施した上で複製することができ、ユーザの興趣をより一層そそることができる。また、カラーコピー部１００において作成済の写真シールに対して所望の分割パターンに変更した上で複製することができ、ユーザの興趣をより一層そそることができる。
【００９５】
また、写真シールの印刷面側をラミネートフィルム（透明保護シート）によってツルツルの状態に保護できるため、従来のようにユーザが保護シートを準備したり貼付する手間を省くことができる。
【００９６】
更に、サーバ装置２２１に保存した保存写真を読み出してこれを複製用シール台紙に印刷できる上、追加落書きすることもできるため、以前に複製したお気に入りの写真シールであっても、それをサーバ装置２２１に保存写真として蓄積しておくことで、その後お気に入りの保存写真を何度でも呼び出して複製した上で追加落書きすることができ、ユーザは気に入った自分の写真シールを繰り返し複製して追加落書きを楽しむことができる。
【００９７】
なお、本発明は上記した実施形態に限定されるものではなく、その趣旨を逸脱しない限りにおいて上述したもの以外に種々の変更を行うことが可能である。たとえば、上記した実施形態では、スキャナ１１０により読み取った写真をサーバ装置２２１等の蓄積手段に保存できるようにした場合について説明したが、必ずしも保存しなくてもよい。また、上記した実施形態では、写真シールに対するラミネート加工機能を備えているが、この加工機能は備えていなくてもよい。更に、上記した実施形態では、「複製コース」の他に「ラミネートコース」を選択できるようになっているが、複製した写真シールに対して必ずラミネート加工を施す構成としても構わない。図９はカラーコピー部１００が単独で利用される場合において、カラーコピー部１００が保存機能およびラミネート加工機能を備えていない場合の動作手順を示すフローチャートである。
【００９８】
図９において、電源が投入されて装置各部が起動されると、予め設定されてＨＤ装置２０３に記憶された画像および音声によるオープニングデモ画面が案内表示部１０２およびスピーカ１０６から再生され、硬貨が投入されるまで待機モードとなる点は、上記実施形態と同様である。まず、１回分の遊技料金に相当する硬貨がカラーコピー部１００の複製用硬貨投入口１０４に投入されると（Ｓ６１）、原本となる写真シールをスキャナ１１０の読取面に置く旨のメッセージが案内表示部１０２（または／およびメインパネル１２０）に表示されると共にスピーカ１０６からガイダンスが出力され、このメッセージ及びガイダンスに従い、ユーザが原本となる写真シールをスキャナ１１０の読取面に置くと、スキャナ１１０により写真シールに印刷されている写真が読み取られ、読取データに基づく画像がメインパネル１２０の落書き画面領域１２４に表示される（Ｓ６２）。
【００９９】
続くステップＳ６３〜Ｓ６７は、上記図５のステップＳ１１〜Ｓ１５と同様の動作が行われる。すなわち、写真の読取データに基づく印刷データに対して追加落書きを行うか否かをユーザに選択させ（Ｓ６３）、追加落書きを行うと選択されると、ユーザにより追加落書きが行われる（Ｓ６４）。続いて、分割パターンの選択を行うか否かをユーザに選択させ（Ｓ６５）、ユーザが分割パターンの選択を行う場合には、ユーザにより分割パターンの選択が行われる（Ｓ６６）。次いで、プリンタ１４０により、写真が複製用シール台紙に印刷されて第１排出口１３１に排出され（Ｓ６７）、待機モードに戻る。この図９のような形態でも、上記実施形態と同様に、非常に簡単に作成済の写真シールを複製でき、さらに追加落書きを施したり分割パターンを変更して複製することができる。尚、この場合、ステップＳ６６の処理の後に、ユーザによる複製枚数の設定処理を行うようにしてもよい。
【０１００】
また、上記実施形態では、シール払出部１とカラーコピー部１００とを別々の筐体で構成しているが、これに限られず、１つの筐体で構成してもよい。この場合には、例えばシール払出部１を筐体の一側面に形成し、カラーコピー部１００をその背面に形成すればよい。また、この場合には、カラーコピー部１００のプリンタや複製用シール台紙としてシール払出部１のプリンタやシール台紙を共用することができる。
【０１０１】
また、上記実施形態の図５や上記変形形態の図９では、カラーコピー部１００において追加落書きおよび分割パターンの選択を可能にしているが、これに限られない。たとえば、追加落書きのみを可能にしたり、分割パターンの選択のみを可能にしてもよい。あるいはまた、追加落書きおよび分割パターンの選択のいずれもできず、単なる複製のみを可能にしてもよい。
【０１０２】
また、上記した実施形態では、カラーコピー部１００において複製する写真シールの原本を、プリントクラブにより作成されたものとして説明しているが、特にプリントクラブに限定されるものではなく、要するに、写真シールを作成可能な写真シール払出装置により作成された写真シールであれば、これを複製することができ、上記した実施形態と同等の効果を得ることができる。
【０１０３】
また、上記した実施形態では、写真シールの印刷面側のみをラミネート加工により透明保護シートを貼付する場合を例示したが、写真シールの両面にラミネート加工を施してもよいのは勿論である。但し、この場合、写真シールの印刷面と反対側の面には、接着可能な処理を施しておく必要がある。このとき、ラミネート加工は、上記したホットラミネート加工に限らず、コールドラミネート加工であっても構わない。
【０１０４】
また、上記した実施形態では、図７に示すように、スキャナ１１０で読み取って得られた読取データのみが保存できるようになっているが、これに限られず、シール払出部１で生成された印刷データを保存するようにしてもよい。これによって、高精細の写真を複製することが可能になる。
【０１０５】
また、上記した実施形態では、通信処理部２１２およびＰＨＳ２２１を用いて外部装置２２１との間で通信を行っているが、通信方式はこれに限られない。例えば、外部装置２２１との間をＬＡＮ接続する無線イーサネット（登録商標）に基づく通信や、赤外線通信、ブルートゥース方式などの種々の無線通信方式を採用することができる。また、通信方式は無線に限られず、例えば通信処理部２１２と外部装置２２１との間を有線で接続するようにしてもよい。この場合、接続方式としては、有線イーサネット（登録商標）によるＬＡＮ接続、ＲＳ−２３２ＣやＩＥＥＥ１３９４やユニバーサル・シリアル・バス（ＵＳＢ）などのシリアル接続、セントロニクスなどのパラレル接続など、種々の接続方式を採用することができる。
【０１０６】
また、上記した実施形態では、外部装置２２１は大容量の記憶部を備えたサーバ装置としているが、これに限られず、例えば他の写真シール払出装置としてもよい。この場合には、他の写真シール払出装置のＨＤ装置２０３が本発明の蓄積手段に相当する。この形態において、例えば外部装置２２１を同一の遊技場に設けられた他の写真シール払出装置とすると、ある一つの写真シール払出装置を構成するシール払出部１とカラーコピー部１００とが異なるユーザによって同時に使用されている場合であっても、シール払出部１のユーザがコントローラ部２００に対して他の写真シール払出装置への印刷データの送信を指示し、その指示にしたがって該印刷データを送信することで、当該他の写真シール払出装置を構成するカラーコピー部１００を用いて複製印刷を行うことが可能になる。また、例えば外部装置２２１を他の遊技場に設けられた写真シール払出装置とすると、ある遊技場の写真シール払出装置を利用するユーザが、例えば友人の居る他の遊技場に設けられた写真シール払出装置への印刷データの送信をコントローラ部２００に指示し、その指示にしたがって該印刷データを送信することで、当該他の遊技場に居る友人が複製印刷を行うことが可能になる。
【０１０７】
また、上記した実施形態では、図７に示すように、ユーザによる保存指示にしたがって、読取データを外部装置２２１に向けて送信して保存するようにしているが、これに限られず、例えば、全ての読取データを自動的に外部装置２２１に向けて送信して保存するようにしてもよい。この場合には、例えば、検索用パスワードを自動的に生成してユーザに提示するようにすればよい。
【０１０８】
更に、上記した実施形態では、蓄積手段を外部装置２２１とし、通信回線を利用して写真の印刷データを送受信し、写真の保存、読出を行うようにした場合について説明したが、コントローラ部２００のＨＤ装置２０３、或いは、装置本体１０１に別途設けられた記憶装置に保存写真データを保存するようにしても構わない。この場合には、例えば１週間などの登録データの期限を管理する管理機能をコントローラ部２００に設ける必要がある。
【０１０９】
また、上記した実施形態では、タッチパネル１２３を抵抗膜式とした場合について説明したが、特に抵抗膜式に限定されるものではない。更に、写真シールの写真を読み取る読取手段も、上記したフラットベッドスキャナ１１０に限るものではない。また、上記した実施形態では、シール払出部１が落書き画面領域４１，４２の２つの落書き画面領域を有しているが、これに限られず、例えば１つでもよく、その場合には、タッチペンも１つ備えていればよい。
【図面の簡単な説明】
【０１１０】
【図１】この発明の一実施形態を構成するシール払出部の外観斜視図である。
【図２】この発明の一実施形態を構成するカラーコピー部の外観斜視図である。
【図３】この発明の一実施形態のレイアウトの例を示す平面図である。
【図４】この発明の一実施形態の電気的構成を示すブロック図である。
【図５】この発明の一実施形態の動作説明用フローチャートである。
【図６】この発明の一実施形態の動作説明用フローチャートである。
【図７】この発明の一実施形態の動作説明用フローチャートである。
【図８】この発明の一実施形態の動作説明用フローチャートである。
【図９】この発明の一実施形態の動作説明用フローチャートである。
【図１０】この発明の変形形態の動作説明用フローチャートである。
【符号の説明】
【０１１１】
１…シール払出部
５５…プリンタ（印刷手段）
１００…カラーコピー部（複製手段）
１０４…複製用硬貨投入口
１１０…フラットベッドスキャナ（読取手段）
１２１…タッチペン（追加入力手段、選択手段）
１２３…タッチパネル（追加入力手段、選択手段）
１４０…プリンタ
２００…コントローラ部
２０１…ＣＰＵ（判定手段、選定手段、パスワード付与手段、操作手段、読出手段、判断手段）
２０３…ＨＤ装置（蓄積手段、記憶手段）
２０６…入力処理部（追加編集手段、データ変更手段）
２０７…画像処理部（データ生成手段、追加編集手段、データ変更手段）
２１０…硬貨処理部（判定手段）
２１２…通信処理部（通信手段）
２２１…ＰＨＳ（通信手段）
２２２…外部装置（サーバ装置、写真シール払出装置、蓄積手段、期限管理手段）
【図１】
2005173010.tif 000003
【図２】
2005173010.tif 000004
【図３】
2005173010.tif 000005
【図４】
2005173010.tif 000006
【図５】
2005173010.tif 000007
【図６】
2005173010.tif 000008
【図７】
2005173010.tif 000009
【図８】
2005173010.tif 000010
【図９】
2005173010.tif 000011
【図１０】
2005173010.tif 000012